【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
多重の画像を生成する方法であって、
電気光学偏光変調器の第１の状態を用いて、第１の画像セットを生成することであって、前記変調器が、メインレンズと、レンズのマイクロアレイとの間に配置されることと、
電気光学偏光変調器の第２の状態を用いて、第２の画像セットを生成することと、
前記第１のセットに関する情報から前記第２の画像セットを減算することにより情報を決定することと、
前記減算後に最終画像セットを生成することと、
を含む方法。
【請求項２】
前記第２の状態は、電気的電圧が印可されると、実現される、請求項１に記載の方法。
【請求項３】
前記電気光学偏光変調器が、元は第１の状態であり、前記電気光学偏光変調器に電圧が印加された後で第２の状態に変化し、
前記電気光学偏光変調器が、電圧がない状態でその第１の元の状態に戻る、請求項１に記載の方法。
【請求項４】
前記電気光学偏光変調器が、複屈折結晶材料から作られる、請求項１に記載の方法。
【請求項５】
第１の光線が、第１の下部アパーチャと、前記第１の下部アパーチャの上方に位置する第２のアパーチャとにマップされるように、前記電気光学偏光変調器が、前記メインレンズから受信される光の２つの同期光線を生成し、
前記アパーチャは前記レンズアレイに関連付けられる、請求項１に記載の方法。
【請求項６】
前記マイクロレンズアレイと前記メインレンズとの間にセンサが配置される、請求項１に記載の方法。
【請求項７】
前記第１及び前記第２の光線が、相異なる屈折角度を有する、請求項６に記載の方法。
【請求項８】
前記第１及び第２の光線が、相異なる屈折率を有する、請求項６に記載の方法。
【請求項９】
前記第１の常光線及び前記第２の異常光線が、互いに垂直な方向に偏光される、請求項１に記載の方法。
【請求項１０】
前記２つの常光線及び異常光線が、相異なる伝搬距離を備えて生成される、請求項１に記載の方法。
【請求項１１】
多重の画像を生成するシステムであって、
複数のアパーチャに関連するレンズのマイクロアレイの前に配置されたメインレンズと、
前記レンズのマイクロアレイと前記メインレンズとの間に配置された電気的に制御される電気光学変調器であって、第１の状態と第２の状態との間で機能する電気光学変調器と、
メインレンズとレンズのマイクロアレイとの間に配置される電気光学偏光変調器の前記第１の状態を用いて、第１の画像セットを生成し、更に電気光学偏光変調器の前記第２の状態を用いて、第２の画像セットを生成するように構成されたプロセッサと、を含み、
前記プロセッサは、更に、前記減算後に最終画像セットを生成するために、前記第１の画像セットから前記第２の画像セットを減算することにより情報を決定するように構成された、
システム。
【請求項１２】
前記第２の状態は、電気的電圧が印可されると、実現される、請求項１１に記載のシステム。
【請求項１３】
前記電気光学偏光変調器が、元は第１の状態であり、前記電気光学偏光変調器に電圧が印加された後で第２の状態に変化し、
前記電気光学偏光変調器が、電圧がない状態でその第１の元の状態に戻る、請求項１２に記載のシステム。
【請求項１４】
前記電気光学偏光変調器が、複屈折結晶材料から作られる、請求項１１に記載のシステム。
【請求項１５】
前記複屈折結晶材料が、液晶（ＬＣ）である、請求項１４に記載のシステム。
【請求項１６】
第１の光線が、第１の下部アパーチャと、前記第１の下部アパーチャの上方に位置する第２のアパーチャとにマップされるように、前記電気光学偏光変調器が、前記メインレンズから受信される光の２つの同期光線を生成し、
前記アパーチャは前記レンズアレイに関連付けられる、請求項１１に記載のシステム。
【請求項１７】
前記マイクロレンズアレイと前記メインレンズとの間にセンサが配置される、請求項１１に記載のシステム。
【請求項１８】
前記マイクロレンズアレイと前記センサとの間の距離が、１０マイクロメートルを超えるが１００マイクロメートル未満である、請求項１７に記載のシステム。
【請求項１９】
前記第１の常光線及び前記第２の異常光線が、互いに垂直な方向に偏光される、請求項１６に記載のシステム。
【請求項２０】
前記２つの常光線及び異常光線が、相異なる伝搬距離を備えて生成される、請求項１９に記載のシステム。
【手続補正２】
【補正対象書類名】明細書
【補正対象項目名】００３４
【補正方法】変更
【補正の内容】
【００３４】
図４は、一実施形態に従って上記で説明したプロセスの流れ図表現である。図４は、複数のアパーチャを有するレンズアレイの前にメインレンズを配置したプレノプティックカメラを用いて、相異なる色強度及び特性の複数の画像を生成する方法用のステップを図示する。図４においてステップ４１０に示されているように、第１の画像セットが、電気光学偏光変調器の第１の状態を用いて捕捉される。一実施形態において、変調器は、前記メインレンズと、複数のアパーチャを備えたレンズアレイとの間に配置される。ステップ４２０において、第２の画像セットが、電気光学偏光変調器の第２の状態を用いて捕捉される。ステップ４３０において、第２の画像セットに関する情報は、例えば構成されたプロセッサなどを用いて、第１のセットに関する情報から減算される。ステップ４４０において、最終画像セットが減算後に生成され、前記最終画像セットが、色強度及び特性を向上させるようにする。一実施形態において、相異なる色強度及び特性の複数の画像を生成するためのシステムが、図４の方法ステップ並びに図３Ａ及び３Ｂの配置を行うために使用され得る。この実施形態において、メインレンズ（３１０）は、複数のアパーチャに関連するレンズアレイ（３５２）の前に配置される。図３Ａに示されているような電気的に制御される電気光学変調器（３２５）は、示されているマイクロレンズとレンズアレイとの間に配置することができる。電気光学変調器は、電圧が印加されると、２つの状態（図３Ａの３３０及び３４０）の間で機能する。次に、図４に関連して説明されているように、第１の画像セットは、電気光学偏光変調器の第１の状態を用いて捕捉され、第２の画像セットも又、電気光学偏光変調器の第２の状態を用いて捕捉される。続いて、向上された色強度及び特性を備えた最終画像セットを生成する（図４の４４０）ために、捕捉された画像の第１のセットに関する情報から前記第２の画像セットに関する情報を減算するように構成されるプロセッサが、システムに組み込まれ得る。このようにして、プレノプティックカメラが非常に乏しい色情報を伝える非常に複雑な状況においてさえ、豊富な色情報が、取得され得る。
（付記１）
多重の画像を生成する方法であって、
電気光学偏光変調器の第１の状態を用いて、第１の画像セットを生成すること（４１０）であって、前記変調器が、メインレンズと、複数のアパーチャを備えたレンズのマイクロアレイとの間に配置されることと、
電気光学偏光変調器の第２の状態を用いて、第２の画像セットを生成すること（４２０）と、
前記第１のセットに関する情報から前記第２の画像セットに関する情報を計算すること（４３０）と、
前記減算後に最終画像セットを生成すること（４４０）と、
を含む方法。
（付記２）
多重の画像を生成するシステムであって、
複数のアパーチャに関連するレンズのマイクロアレイ（３５２）の前に配置されたメインレンズ（３１０）と、
前記レンズのマイクロアレイと前記メインレンズとの間に配置された電気的に制御される電気光学変調器（３２５）であって、電圧の印加で、第１の状態（３４０）と第２の状態（３３０）との間で機能する電気光学変調器（３２５）と、
電気光学偏光変調器の前記第１の状態を用いて、第１の画像セットを生成する手段と、
電気光学偏光変調器の前記第２の状態を用いて、第２の画像セットを生成する手段と、
向上された色強度及び特性を備えた最終画像セットを生成する（４４０）ために、捕捉された画像の前記第１のセットに関する情報から前記第２の画像セットに関する情報を計算するように構成されたプロセッサ（４３０）と、
を含むシステム。
（付記３）
マイクロ画像クロストークを生成するアパーチャから生成された境界画素が、前記計算ステップに先立って廃棄される、付記１に記載の方法又は付記２に記載のシステム。
（付記４）
前記電気光学偏光変調器が、元は第１の状態であり、前記電気光学偏光変調器に電圧が印加された後で第２の状態に変化する、付記１若しくは３に記載の方法又は付記２若しくは３に記載のシステム。
（付記５）
前記電気光学偏光変調器が、電圧がない状態でその第１の元の状態に戻る、付記４に記載の方法又は付記４に記載のシステム。
（付記６）
前記電気光学偏光変調器が、複屈折結晶材料から作られる、付記１若しくは４に記載の方法又は付記２若しくは４に記載のシステム。
（付記７）
前記複屈折結晶材料が、液晶（ＬＣ）である、付記６に記載の方法又は付記６に記載のシステム。
（付記８）
第１の光線が、第１の下部アパーチャと、前記第１の下部アパーチャの上方に位置する第２のアパーチャとにマップされるように、前記電気光学偏光変調器が、前記メインレンズから受信される光の２つの同期光線を生成する、付記１若しくは７に記載の方法又は付記２若しくは６に記載のシステム。
（付記９）
前記プレノプティックカメラが、前記マイクロレンズアレイと前記メインレンズとの間に配置されたセンサを有する、付記１に記載の方法又は付記２に記載のシステム。
（付記１０）
前記マイクロレンズアレイと前記センサとの間の距離が、１０マイクロメートルを超えるが１００マイクロメートル未満である、付記９に記載の方法又は付記９に記載のシステム。
（付記１１）
前記第１及び前記第２の光線が、相異なる屈折角度を有する、付記８に記載の方法又は付記８に記載のシステム。
（付記１２）
前記第１及び第２の光線が、相異なる屈折率を有する、付記１１に記載の方法又は付記１１に記載のシステム。
（付記１３）
前記第１の常光線及び前記第２の異常光線が、互いに垂直な方向に偏光される、付記１２に記載の方法又は付記１２に記載のシステム。
（付記１４）
前記２つの常光線及び異常光線が、相異なる伝搬距離を備えて生成される、付記１３に記載の方法又は付記１３に記載のシステム。